(57)【特許請求の範囲】
【請求項１】
盤に収納された回路遮断器を外部から開閉するハンドルと、このハンドルに連動して盤の扉の、フックと戻し金具で構成する掛け金を用いて扉を施錠及び解錠するロックレバーと、を備えた回路遮断器の外部操作ハンドル装置において、
山形に形成された２つの斜面で前記ロックレバーと係合して該ロックレバーを施錠位置及び解錠位置にそれぞれ保持するバネ部材と、前記バネ部材を固定する第一と第二の板バネ座を設け、前記バネ部材は、第一または第二の板バネ座のいずれかに固定され、
前記バネ部材が前記第一の板バネ座に固定されると、前記ロックレバーは、前記ハンドルの開閉操作により前記バネ部材の山形の凸部を乗り越えて該バネ部材の一方及び他方の斜面で施錠位置と解錠位置のいずれかに保持され、
前記バネ部材が前記第二の板バネ座に固定されると、前記ロックレバーは、前記ハンドルの開閉操作により前記バネ部材の山形の凸部を乗り越えずに該バネ部材の一方の斜面で施錠位置に保持されるとともに、前記ハンドルの開方向への操作により施錠位置からバネ部材に抗して解錠方向に移動することを特徴とする回路遮断器の外部操作ハンドル装置。
【請求項２】
請求項１に記載の回路遮断器の外部操作ハンドル装置において、
バネ部材位置決めは、ネジ結合であることを特徴とする回路遮断器の外部操作ハンドル装置。
【請求項３】
請求項１または請求項２に記載の回路遮断器の外部操作ハンドル装置において、
扉側の掛け金は、フックと戻し金具に代えてフックだけが設けられることを特徴とする回路遮断器の外部操作ハンドル装置。
【発明の詳細な説明】
【０００１】
【発明の属する技術分野】
この発明は、配電盤や制御盤において、盤内の回路遮断器の開閉機能と、盤の扉のロック機能を兼ねた回路遮断器の外部操作ハンドル装置に関する。
【０００２】
【従来の技術】
図５は回路遮断器１１に取付けた外部操作ハンドル装置と、掛け金１６を取付ける扉１３との関係を示す説明図である。回路遮断器１１は、ネジ１４および締めつけ部品１４ａによって外部操作ハンドル装置のボディ２１と共に取付板１２に固定される。ハンドル２２の図の位置ではロックレバー２４が図の位置に存在している。一方、扉１３はハンドル２２用の扉孔１３ａが加工されており、化粧板１５はネジ１５ａによって掛け金１６と共に扉１３に固定される。図の状態は回路遮断器１１がＯＮ状態であり、ロックレバー２４が掛け金１６の掛け金フック部１６ｂによって扉１３を閉め続ける。
【０００３】
図６は、扉１３を開く状態の説明図である。図５と同じ記号は機能も同一のため説明を省略する。回路遮断器１１と一体に取付けた外部操作ハンドル装置のボディ２１内の可動部であるハンドル２２が図  （ａ）にてＯＦＦの状態からＯＰＥＮの位置に回転されるとロックレバー２４が下方に移動される構造である。図  （ｂ）にて、ロックレバー２４は掛け金１６の掛け金凸部１６ｂに常時は掛かって扉１３を閉めている。図  （ａ）のようにハンドル２２が回転されると掛け金フック部１６ｂからロックレバー２４は離れて扉１３は左方に開けることができる。尚、遮断器把手１１ａは後述する外部操作ハンドル装置の部品によって操作される。
【０００４】
この発明の従来技術である外部操作ハンドル装置は、たとえば特開平５−６７４２３号公報に記載されており、従来は自動復帰であったこの装置を自己保持にした内容であり、概要は次の通りである。盤内の回路遮断器に嵌合して回路遮断器を開閉させる外部操作ハンドル装置の操作軸と一体で回転するクランク板の凸部が、レリーズピンを中心に回転できるロックレバーを回して扉に固定されているロック金具との関係を定めて扉を開閉できる状態にする。このロックレバーの一部である他の凸部が回転されて、一端が固定され他端が山状に形成された板バネの山状部を越えてロックレバーの状態を維持する。
【０００５】
【発明が解決しようとする課題】
上述の従来技術では、自己保持及び復帰の動きを板バネの山越えを利用しているため、ロックレバーのロック金具に対する位置調整範囲が小さくなり、特に、外部操作ハンドルが一ケ取り付けの場合、たとえば制御盤などでは確実に開閉できる必要が有るため調整にかなりの時間が必要であった。
【０００６】
この発明の課題は、前記の調整時間が短くでき、かつ、使用者がロックレバーを自己保持から自動復帰へ容易に変更できる回路遮断器の外部操作ハンドル装置の提供である。
【０００７】
【課題を解決するための手段】
この発明は、盤に収納された回路遮断器を外部から開閉するハンドルと、このハンドルに連動して盤の扉の、フックと戻し金具で構成する掛け金を用いて扉を施錠及び解錠するロックレバーと、を備えた回路遮断器の外部操作ハンドル装置において、山形に形成された２つの斜面で前記ロックレバーと係合して該ロックレバーを施錠位置及び解錠位置にそれぞれ保持するバネ部材と、前記バネ部材を固定する第一と第二の板バネ座を設け、前記バネ部材は、第一または第二の板バネ座のいずれかに固定され、前記バネ部材が前記第一の板バネ座に固定されると、前記ロックレバーは、前記ハンドルの開閉操作により前記バネ部材の山形の凸部を乗り越えて該バネ部材の一方及び他方の斜面で施錠位置と解錠位置のいずれかに保持され、前記バネ部材が前記第二の板バネ座に固定されると、前記ロックレバーは、前記ハンドルの開閉操作により前記バネ部材の山形の凸部を乗り越えずに該バネ部材の一方の斜面で施錠位置に保持されるとともに、前記ハンドルの開方向への操作により施錠位置からバネ部材に抗して解錠方向に移動するようにしたものである。
【０００８】
また、この発明は請求項１に記載の回路遮断器の外部操作ハンドル装置において、バネ部材位置決めはネジ結合の構造である。更にこの発明は、請求項１または請求項２に記載の回路遮断器の外部操作ハンドル装置において、扉側の掛け金はフックと戻し金具に代えてフックだけが設けられる構造である。
【０００９】
【発明の実施の形態】
この発明は、回路遮断器の外部操作ハンドル装置のロックレバー用に山状部がある板バネを設け、ロックレバーを自己保持させ、自動復帰に変更する時はその板バネ位置を代えてロックレバーが山越えできないようにさせる構造である。
【００１０】
【実施例】
図１はこの発明の実施例を示し、従来の技術の外部操作ハンドル装置と相違する点は、ボディ２１に板バネ２６の端部が挿入される板バネ座１，２を設けた点である。図示しないハンドルはボディ２１に軸支され、このハンドルを操作することにより、ハンドルに固定されたピン２７ａを介してアーム２７に操作力を伝え、支点２７ｃを中心として図６の遮断器把手１１ａを開閉することができる。また、ハンドルをＯＦＦ位置からＯＰＥＮ位置に回転させるとハンドルと一体のターンベース２５の凸部２５ａが右回転され、軸２４ｃの周りを回転できるロックレバー２４の凸部２４ａを左回転させ、板バネ２６の凸部２６ａをロックレバー２４の凸部２４ｂが乗り越えて掛け金１６からロックレバー２４を離させてこの状態を保持する。この状態で扉を開くとロックレバー２４は図６の掛け金凸部１６ａによって上昇してから下方に移動して自己保持状態の位置に至る。
【００１１】
図２は図１の構造の動きを更に説明する図で、図  （ａ）は図１の状態から凸部２４ｂが凸部２６ａを乗り越えた後の説明図で、同じ記号ですでに説明済みの部品の説明は省略する。この状態から扉を開けるとロックレバー２４は前記したように自己保持状態の位置に至る。図２の図  （ｂ）は不図示の遮断器をＯＮさせた時の状態図で、ターンベース２５の切り欠きにロックレバー２４の凸部２４ａが入って現状の保持を確実にする。
【００１２】
図３はロックレバー２４の自動復帰を必要とする時の説明図で、図１と異なる点は板バネ２６を板バネ座１に代えて板バネ座２に固定した点と、掛け金１６の掛け金凸部１６ａを無くした点である。これによるとハンドル２２をＯＦＦからＯＰＥＮまで回転させるとロックレバー２４は回転して掛け金フック部１６ｂから離れるため扉１３を開けることができる。この時、ロックレバー２４の凸部２４ｂは板バネ２６の凸部を越えられず、ハンドルから指を離すと板バネ２６の反力によってロックレバー２４は元のロック位置に復帰する。
【００１３】
図４は、図３の更なる説明図で図２と異なる点は板バネ２６を板バネ座２に固定して自動復帰させる点であり、図６の戻し金具１６ａを略した構造で良い。
【００１４】
【発明の効果】
この発明によれば、板バネ座を２ケ所設けて自己保持と自動復帰のいずれかを容易に選択できるため、多量に外部操作ハンドル装置を用いる盤では、自動復帰式を選択することにより開時の保持位置の大幅な取付調整工数の削減が可能になり、極めて使いやすい外部操作ハンドル装置を提供できる。
【図面の簡単な説明】
【図１】この発明の実施例の裏面図
【図２】図１の構造の動作説明図の、（ａ）  は自己保持状態の説明図、（ｂ）  は遮断器ＯＮ時の説明図
【図３】自動復帰時の動作説明図の、（ａ）  は外部操作ハンドル装置の正面図、（ｂ）  は主要部の側面図、（ｃ）  は外部操作ハンドル装置の内部説明図
【図４】図３の構造の動作説明図の、（ａ）  は自動復帰状態の説明図、（ｂ）  は遮断器ＯＮ時の説明図
【図５】外部操作ハンドル装置の取り付け時の分解斜視図
【図６】従来の外部操作ハンドル装置の説明図の、（ａ）  は外部操作ハンドル装置の正面図、（ｂ）  は主要部の側面図
【符号の説明】
１    板バネ座
２    板バネ座
１１    回路遮断器
１３    扉
１６    掛け金
２１    ボディ
２２    ハンドル
２４    ロックレバー
２６    板バネ
２７    アーム
【図１】
0003593789.tif 000002
【図２】
0003593789.tif 000003
【図３】
0003593789.tif 000004
【図４】
0003593789.tif 000005
【図５】
0003593789.tif 000006
【図６】
0003593789.tif 000007